【手続補正書】
【提出日】平成18年2月9日(2006.2.9)
【手続補正１】
【補正対象書類名】特許請求の範囲
【補正対象項目名】全文
【補正方法】変更
【補正の内容】
【特許請求の範囲】
【請求項１】
無線通信システム用移動体端末のための移動体マルチメディアシステムであって、
ソフトウェアサービスコンポーネント及びそのソフトウェアサービスコンポーネントと関連し、それによって制御されるハードウェアコンポーネントを有する移動体マルチメディアエンジンを含む、移動体端末プラットフォームアセンブリと、
前記移動体マルチメディアエンジンにアクセスするための少なくとも１つのインターフェースを有するインターフェースコンポーネントと、
少なくとも１つの前記インターフェースを有するミドルウェアサービスレイヤーと、
前記インターフェースコンポーネントにおける少なくとも１つの前記インターフェースを介して前記移動体端末プラットフォームアセンブリの前記移動体マルチメディアエンジンにおいてロードされ、インストールされ、実行されるマルチメディアアプリケーションソフトウェアと
を含み、
前記ミドルウェアサービスレイヤーの少なくとも１つの前記インターフェースは、前記移動体マルチメディアエンジンと前記マルチメディアアプリケーションソフトウェアとを分離するインターフェースであって、前記移動体マルチメディアエンジンにおいて前記マルチメディアアプリケーションソフトウェアをロードし、インストールし、実行するためのアプリケーションプログラムインターフェースを含むことを特徴とする移動体マルチメディアシステム。
【請求項２】
前記移動体マルチメディアエンジンの前記ソフトウェアコンポーネントと前記ハードウェアコンポーネントは、オーディオ／ビデオ再生とストリーミングオーディオ／ビデオとオーディオ／ビデオ記録とビデオ電話のうち１以上を含む１以上のマルチメディア機能を提供するためのソフトウェア及びハードウェアを有していることを特徴とする請求項１に記載の移動体マルチメディアシステム。
【請求項３】
前記移動体マルチメディアエンジンは、１以上の外部デバイスに対する１以上の外部インターフェースを有することを特徴とする請求項２に記載の移動体マルチメディアシステム。
【請求項４】
前記１以上の外部インターフェースは、ディスプレイデバイスとカメラと固定メモリデバイスとオーディオデバイスと入力デバイスのうち１以上に対する１以上の外部インターフェースを有することを特徴とする請求項３に記載の移動体マルチメディアシステム。
【請求項５】
前記マルチメディアアプリケーションソフトウェアは、ファイルネットワークアプリケーションオブジェクトと、ビデオ再生アプリケーションオブジェクトと、キャンバス、ウインドウ、フォントアプリケーションオブジェクトと、ビデオデバイス、ビデオチャンネルアプリケーションオブジェクトと、オーディオデバイス、オーディオチャンネルアプリケーションオブジェクトとを含む１以上のマルチメディアアプリケーションオブジェクトを有することを特徴とする請求項１に記載の移動体マルチメディアシステム。
【請求項６】
前記ハードウェアコンポーネントは、ビデオ及びイメージングを高性能化するグラフィックアクセレレーションモジュールと、オーディオを高性能化するデジタル信号プロセッサを有することを特徴とする請求項１に記載の移動体マルチメディアシステム。
【請求項７】
前記無線通信システムは、ＷＣＤＭＡ／ＧＳＭ無線通信システムで構成されることを特徴とする請求項１に記載の移動体マルチメディアシステム。
【請求項８】
無線通信システム用移動体マルチメディアシステムのための移動体端末プラットフォームアセンブリであって、
ソフトウェアサービスコンポーネント及びそのソフトウェアサービスコンポーネントと関連し、それによって制御されるハードウェアコンポーネントを有する移動体マルチメディアエンジンと、
少なくとも１つのマルチメディアアプリケーションを前記移動体マルチメディアエンジンにアクセスさせるための少なくとも１つのインターフェースを有するインターフェースコンポーネントと、
少なくとも１つの前記インターフェースを有するミドルウェアサービスレイヤーと
を含み、
前記ミドルウェアサービスレイヤーの少なくとも１つの前記インターフェースは、前記移動体マルチメディアエンジンと前記マルチメディアアプリケーションソフトウェアとを分離するインターフェースであって、前記移動体マルチメディアエンジンにおいて前記マルチメディアアプリケーションソフトウェアをロードし、インストールし、実行するためのアプリケーションプログラムインターフェースを含むことを特徴とする移動体端末プラットフォームアセンブリ。
【請求項９】
前記移動体マルチメディアエンジンの前記ソフトウェアコンポーネントと前記ハードウェアコンポーネントは、オーディオ／ビデオ再生とストリーミングオーディオ／ビデオとオーディオ／ビデオ記録とビデオ電話のうち１以上を含む１以上のマルチメディア機能を提供するためのソフトウェア及びハードウェアを有していることを特徴とする請求項８に記載の移動体端末プラットフォームアセンブリ。
【請求項１０】
前記移動体マルチメディアエンジンは、１以上の外部デバイスに対する１以上の外部インターフェースを有することを特徴とする請求項９に記載の移動体端末プラットフォームアセンブリ。
【請求項１１】
前記１以上の外部インターフェースは、ディスプレイデバイスとカメラと固定メモリデバイスとオーディオデバイスと入力デバイスのうち１以上に対する１以上の外部インターフェースを有することを特徴とする請求項１０に記載の移動体端末プラットフォームアセンブリ。
【請求項１２】
前記マルチメディアアプリケーションソフトウェアは、ファイルネットワークアプリケーションオブジェクトと、ビデオ再生アプリケーションオブジェクトと、キャンバス、ウインドウ、フォントアプリケーションオブジェクトと、ビデオデバイス、ビデオチャンネルアプリケーションオブジェクトと、オーディオデバイス、オーディオチャンネルアプリケーションオブジェクトとを含む１以上のマルチメディアアプリケーションオブジェクトを有することを特徴とする請求項８に記載の移動体端末プラットフォームアセンブリ。
【請求項１３】
前記ハードウェアコンポーネントは、ビデオ及びイメージングを高性能化するグラフィックアクセレレーションモジュールと、オーディオを高性能化するデジタル信号プロセッサを有することを特徴とする請求項８に記載の移動体端末プラットフォームアセンブリ。
【請求項１４】
前記無線通信システムは、ＷＣＤＭＡ／ＧＳＭ無線通信システムで構成されることを特徴とする請求項８に記載の移動体端末プラットフォームアセンブリ。
【請求項１５】
無線通信システム用移動体端末であって、
ソフトウェアサービスコンポーネント及びそのソフトウェアサービスコンポーネントと関連し、それによって制御されるハードウェアコンポーネントを有する移動体マルチメディアエンジンと、
少なくとも１つのマルチメディアアプリケーションを前記移動体マルチメディアエンジンにアクセスさせるための少なくとも１つのインターフェースを有するインターフェースコンポーネントと、
少なくとも１つの前記インターフェースを有するミドルウェアサービスレイヤーと
を含み、
前記ミドルウェアサービスレイヤーの少なくとも１つの前記インターフェースは、前記移動体マルチメディアエンジンと前記マルチメディアアプリケーションソフトウェアとを分離するインターフェースであって、前記移動体マルチメディアエンジンにおいて前記マルチメディアアプリケーションソフトウェアをロードし、インストールし、実行するためのアプリケーションプログラムインターフェースを備えることを特徴とする移動体端末。
【請求項１６】
前記移動体マルチメディアエンジンは、１以上の外部デバイスに対する１以上の外部インターフェースを有することを特徴とする請求項１５に記載の移動体端末。
【請求項１７】
前記ハードウェアコンポーネントは、ビデオ及びイメージングを高性能化するグラフィックアクセレレーションモジュールと、オーディオを高性能化するデジタル信号プロセッサを有することを特徴とする請求項１５に記載の移動体端末。
【請求項１８】
前記無線通信システムは、ＷＣＤＭＡ／ＧＳＭ無線通信システムで構成されることを特徴とする請求項１５に記載の移動体端末。
【請求項１９】
無線通信システム用移動体端末におけるマルチメディアアプリケーションを実行可能とする方法であって、
ソフトウェアサービスコンポーネント及びそのソフトウェアサービスコンポーネントと関連し、それによって制御されるハードウェアコンポーネントを有する移動体マルチメディアエンジンを提供する工程と、
前記移動体マルチメディアエンジンにアクセスするためアプリケーションプログラムインターフェースを含む少なくとも１つのインターフェースを有するミドルウェアサービスレイヤーを備えるインターフェースコンポーネントを提供する工程と、
前記移動体マルチメディアエンジンと前記マルチメディアアプリケーションソフトウェアとを分離する前記アプリケーションプログラムインターフェースを介して、前記移動体マルチメディアエンジンにおける少なくとも１つのマルチメディアアプリケーションをロードし、インストールし、実行する工程と
を備えることを特徴とする方法。
【請求項２０】
前記マルチメディアアプリケーションソフトウェアは、ファイルネットワークアプリケーションオブジェクトと、ビデオ再生アプリケーションオブジェクトと、キャンバス、ウインドウ、フォントアプリケーションオブジェクトと、ビデオデバイス、ビデオチャンネルアプリケーションオブジェクトと、オーディオデバイス、オーディオチャンネルアプリケーションオブジェクトとを含む１以上のマルチメディアアプリケーションオブジェクトを有することを特徴とする請求項１９に記載の方法。